【事件の表示】
　特願２００１−　３４４７０「携帯端末による録画・記録装置のコントロールシステム、及び視聴管理システム」拒絶査定不服審判事件〔平成１３年１１月　２日出願公開、特開２００１−３０９２８８〕について、次のとおり審決する。
【結　論】
　本件審判の請求は、成り立たない。
【理　由】
第１　手続の経緯
　本願は，平成１３年２月９日の出願（優先権主張平成１２年２月１０日）であって，平成１６年２月２７日付けで拒絶理由が通知され，これに対し，平成１６年４月２８日付けで手続補正がなされ，平成１６年９月２日付けで拒絶査定がなされ，これに対し，平成１６年１０月６日に拒絶査定に対する審判請求がなされるとともに，平成１６年１０月２８日付けで手続補正（明細書または図面について請求の日から３０日以内にする補正）がなされたものである。
　
第２　平成１６年１０月２８日付けの手続補正についての補正却下の決定
［補正却下の決定の結論］
　平成１６年１０月２８日付けの手続補正を却下する。
［理由］
１　本件補正の内容
　平成１６年１０月２８日付けの手続補正（以下，「本件補正」という。）は，拒絶査定の対象となった補正前の請求項１ないし６を新たな請求項（補正後の請求項）１ないし７に補正する事項を含むものであるところ，補正前の請求項１ないし６及び補正後の請求項１ないし７は，それぞれ以下のとおりである。
（１）補正前の請求項１ないし６
「【請求項１】デジタル放送における携帯情報端末による録画・記録装置のコントロールシステムであって，
　録画・記録装置と，前記録画・記録装置との通信機能を搭載した携帯情報端末と，前記携帯情報端末にＥＰＧ情報及び録画予約情報を提供するサービスステーションとを有し，
　前記携帯情報端末は前記サービスステーションにアクセスし，ＥＰＧ情報を収得し，収得したＥＰＧ情報から希望の番組を選択し，この番組の録画予約情報を前記録画・記録装置に直接送信し，前記録画・記録装置は受信した録画予約情報に基づいて，録画予約をセットするように構成したことを特徴とする携帯端末による録画・記録装置のコントロールシステム。
【請求項２】前記携帯情報端末に赤外線送信機能を搭載し，前記録画・記録装置に赤外線受信機能を搭載し，前記赤外線送受信機能により，前記携帯情報端末と前記録画・記録装置との間で録画予約情報を送受信するように構成したことを特徴とする請求項１に記載の録画・記録装置のコントロールシステム。
【請求項３】前記携帯情報端末にＢｌｕｅｔｏｏｔｈ送信機能を搭載し，前記録画・記録装置にＢｌｕｅｔｏｏｔｈ受信機能を搭載し，Ｂｌｕｅｔｏｏｔｈの送受信機能により，前記携帯情報端末と前記録画・記録装置との間で録画予約情報を送受信するように構成したことを特徴とする請求項１又は請求項２に記載の録画・記録装置のコントロールシステム。
【請求項４】前記サービスステーションに決算機能を持たせ，録画予約を行うとするコンテンツが有料である場合に，前記携帯情報端末からユーザを特定する識別情報を受信し，この識別情報に基づいて決済を行い，決済が完了するとスクランブル解除情報を前記携帯情報端末に送信するように構成したことを特徴とする請求項１から請求項３のいずれかに記載の録画・記録装置のコントロールシステム。
【請求項５】デジタル放送における携帯情報端末による録画・記録装置のコントロールシステムであって，
　ダイヤルアップ機能を搭載した録画・記録装置と，前記録画・記録装置とダイヤルアップで通信可能な携帯情報端末と，前記携帯情報端末に，ＥＰＧ情報及び番組予約情報を提供するサービスステーションとを有し，
　前記携帯情報端末は前記サービスステーションにアクセスし，ＥＰＧ情報及び録画予約情報を収得し，前記携帯情報端末はダイヤルアップで前記録画・記録装置に接続してＥＰＧ情報及び録画予約情報を取得し，ＥＰＧ情報から希望の番組を選択し，選択した番組の録画予約情報を前記録画・記録装置に直接送信し，前記録画・記録装置は前記録画予約情報に基づいて録画予約をセットするように構成したことを特徴とする携帯端末による録画・記録装置のコントロールシステム。
【請求項６】前記サービスステーションに決算機能を持たせ，録画予約を行うとするコンテンツが有料である場合に，前記携帯情報端末からユーザを特定する識別情報を受信し，この識別情報に基づいて決済を行い，決済が完了するとスクランブル解除情報を前記携帯情報端末に送信するように構成したことを特徴とする請求項５に記載の録画・記録装置のコントロールシステム。」
（２）補正後の請求項１ないし７
「【請求項１】デジタル放送における携帯情報端末による録画・記録装置のコントロールシステムであって，
　録画・記録装置と，前記録画・記録装置との通信機能を搭載した携帯情報端末と，前記携帯情報端末にＥＰＧ情報及び録画予約情報を提供するサービスステーションとを有し，
　前記携帯情報端末は前記サービスステーションにアクセスし，ＥＰＧ情報を収得し，収得したＥＰＧ情報から希望の番組を選択し，この番組の録画予約情報を前記録画・記録装置に直接送信し，前記録画・記録装置は受信した録画予約情報に基づいて，録画予約をセットするように構成したことを特徴とする携帯端末による録画・記録装置のコントロールシステム。
【請求項２】デジタル放送における携帯情報端末による録画・記録装置のコントロールシステムであって，
　録画・記録装置と，前記録画・記録装置との通信機能を搭載した携帯情報端末と，前記携帯情報端末にＥＰＧ情報及び録画予約情報を提供するサービスステーションとを有し，
　前記携帯情報端末は前記サービスステーションにアクセスし，ＥＰＧ情報を収得し，収得したＥＰＧ情報から希望の番組を選択し，この番組の録画予約情報を前記録画・記録装置にネットワークを介さずに直接送信し，前記録画・記録装置は受信した録画予約情報に基づいて，録画予約をセットするように構成したことを特徴とする携帯端末による録画・記録装置のコントロールシステム。
【請求項３】前記携帯情報端末に赤外線送信機能を搭載し，前記録画・記録装置に赤外線受信機能を搭載し，前記赤外線送受信機能により，前記携帯情報端末と前記録画・記録装置との間で録画予約情報を送受信するように構成したことを特徴とする請求項１又は請求項２に記載の録画・記録装置のコントロールシステム。
【請求項４】前記携帯情報端末にＢｌｕｅｔｏｏｔｈ送信機能を搭載し，前記録画・記録装置にＢｌｕｅｔｏｏｔｈ受信機能を搭載し，Ｂｌｕｅｔｏｏｔｈの送受信機能により，前記携帯情報端末と前記録画・記録装置との間で録画予約情報を送受信するように構成したことを特徴とする請求項１から請求項３のいずれかに記載の録画・記録装置のコントロールシステム。
【請求項５】前記サービスステーションに決算機能を持たせ，録画予約を行うとするコンテンツが有料である場合に，前記携帯情報端末からユーザを特定する識別情報を受信し，この識別情報に基づいて決済を行い，決済が完了するとスクランブル解除情報を前記携帯情報端末に送信するように構成したことを特徴とする請求項１から請求項４のいずれかに記載の録画・記録装置のコントロールシステム。
【請求項６】デジタル放送における携帯情報端末による録画・記録装置のコントロールシステムであって，
　ダイヤルアップ機能を搭載した録画・記録装置と，前記録画・記録装置とダイヤルアップで通信可能な携帯情報端末と，前記携帯情報端末に，ＥＰＧ情報及び番組予約情報を提供するサービスステーションとを有し，
　前記携帯情報端末は前記サービスステーションにアクセスし，ＥＰＧ情報及び録画予約情報を収得し，前記携帯情報端末はダイヤルアップで前記録画・記録装置に接続してＥＰＧ情報及び録画予約情報を取得し，ＥＰＧ情報から希望の番組を選択し，選択した番組の録画予約情報を前記録画・記録装置にネットワークを介さずに直接送信し，前記録画・記録装置は前記録画予約情報に基づいて録画予約をセットするように構成したことを特徴とする携帯端末による録画・記録装置のコントロールシステム。
【請求項７】前記サービスステーションに決算機能を持たせ，録画予約を行うとするコンテンツが有料である場合に，前記携帯情報端末からユーザを特定する識別情報を受信し，この識別情報に基づいて決済を行い，決済が完了するとスクランブル解除情報を前記携帯情報端末に送信するように構成したことを特徴とする請求項６に記載の録画・記録装置のコントロールシステム。」
　
２　補正の目的の適否
　本件補正は，概略，以下の補正事項を含む。
　補正事項１　補正前の請求項１を補正後の請求項１とする。
　補正事項２　補正前の請求項１に「ネットワークを介さずに」の限定を付加した新たな請求項を補正後の請求項２として追加する。
　補正事項３　補正前の請求項２ないし４を補正後の請求項３ないし５に繰り下げるとともに，上記補正後の請求項３ないし５を補正後の請求項１及び補正後の請求項２の従属項とする。
　補正事項４　補正前の請求項５に「ネットワークを介さずに」の限定を付加して補正後の請求項６とする。
　補正事項５　補正前の請求項６を補正後の請求項７に繰り下げる。
　
　本件補正は，補正前の請求項１及び５に「ネットワークを介さずに」の限定を付加して補正後の請求項２及び６とする補正（上記補正事項２及び４）だけを見れば，それぞれ特許請求の範囲を減縮する補正とはいえるものの，
　本件補正により，新たに補正後の請求項２，及び，補正後の請求項３ないし５のうち補正後の請求項２に従属する部分が追加されることが明らかである。いわゆる「増項補正」といえる。
　したがって，本件補正は，特許法第１７条の２第４項第１号ないし第４号のいずれを目的とするものともいえないから，同項の規定に適合しない。
　
３　まとめ
　以上のとおり，本件補正は，特許法第１７条の２第４項の規定に適合しないから，許法第１５９条第１項の規定において読み替えて準用する同法第５３条第１項の規定により却下されるべきものである。 
　
第３　本願発明について
１　本願発明
　平成１６年１０月２８日付けの手続補正は上記のとおり却下する。
　本願の請求項１ないし６に係る発明は，平成１６年４月２８日付け手続補正書の特許請求の範囲の請求項１ないし６に記載された事項により特定されるものであると認められるところ，その請求項１に記載された発明（以下，「本願発明」という。）は以下のとおりのものである。
「デジタル放送における携帯情報端末による録画・記録装置のコントロールシステムであって，
　録画・記録装置と，前記録画・記録装置との通信機能を搭載した携帯情報端末と，前記携帯情報端末にＥＰＧ情報及び録画予約情報を提供するサービスステーションとを有し，
　前記携帯情報端末は前記サービスステーションにアクセスし，ＥＰＧ情報を収得し，収得したＥＰＧ情報から希望の番組を選択し，この番組の録画予約情報を前記録画・記録装置に直接送信し，前記録画・記録装置は受信した録画予約情報に基づいて，録画予約をセットするように構成したことを特徴とする携帯端末による録画・記録装置のコントロールシステム。」
　
２　引用例
　原査定の拒絶の理由に引用された特開平９−１０２８２７号公報（平成９年４月１５日出願公開，以下「引用例１」という。）には，図面とともに，次のとおりの記載がある。
ａ　「図１は，本発明を適用した遠隔制御システムの一実施例の構成を示している。この遠隔制御システムにおいては，ユーザが携帯端末１を操作することで，例えばユーザが自宅に設置してあるＶＴＲ４を遠隔制御することができるようになされている。
　即ち，携帯端末１は，例えば個人向けの情報携帯端末（ＰＣＳ）などであり，基地局２と通信を，無線によって行うことができるようになされている。（中略）ネットワーク３は，例えば公衆網などで構成されている。従って，携帯端末１は，基地局２を介してネットワーク３と接続され，これにより，基地局２およびネットワーク３を介して，通信可能な装置と通信を行うことができるようになされている。
　なお，ネットワーク３は，公衆網以外の有線回線や，あるいは無線回線などで構成することも可能である。
　ＶＴＲ４は，録画予約その他の機能を有するＶＴＲで，例えば携帯端末１の所有者であるユーザの自宅（各家庭）などに設置されている。また，このＶＴＲ４は，ネットワーク３と接続されており，これにより，ネットワーク３を介して，所定の信号を供給することで，その遠隔制御を行うことができるようになされている。
　センタ局は，データベース５およびデータベース制御部６を有している。データベース５には，ＶＴＲ４の制御（本実施例においては，例えば録画予約などとする）に必要な必要情報として，例えばテレビジョン放送による番組の番組表や，各番組の内容に関する情報（以下，適宜，番組情報という）などが記録されている。データベース５は，ネットワーク３と接続されており，ネットワーク３を介してアクセスすることで，データベース５から，上述したような番組表や番組情報を得ることができるようになされている。」（段落【００２３】ないし段落【００２７】）
ｂ　「次に，図２を参照して，ＶＴＲ４の遠隔制御として，例えば録画予約が行われる場合の処理について説明する。例えば外出先などにおいて，ＶＴＲ４に対し，番組の録画予約を行おうとするユーザは，その番組のチャンネルや，開始時刻などがわからないとき，携帯端末１を操作して，データベース５にアクセスする（１）。（中略）
　データベース５にアクセスした後，ユーザは，携帯端末１を操作することで，データベース５に記録されてる番組表や番組情報を，携帯端末１に送信させる。これにより，データベース５からは，番組表や番組情報が，ネットワーク３および基地局２を介して携帯端末１に送信される（２）。携帯端末１では，データベース５から送信されてきた番組表や番組情報が受信され，必要に応じて表示（出力）される。ユーザは，表示された番組表や番組情報を参照し，希望する番組の放送チャンネルや，開始時刻などの録画予約に必要な情報を確認する。
　その後，ユーザは，携帯端末１を操作することで，基地局２およびネットワーク３を介して，ＶＴＲ４にアクセスする（３）。そして，ユーザは，確認した放送チャンネルや開始時刻などを，基地局２およびネットワーク３を介してＶＴＲ４に送信することで，所望する番組の録画予約を行う（４）。」（段落【００３０】ないし段落【００３３】）
ｃ　「即ち，番組表が表示されている状態において，録画予約する番組の番組欄が，ユーザＩ／Ｆ部１４を操作することで選択されると，制御部１３では，選択された番組のチャンネルや，開始時刻および終了時刻などの録画予約に必要な予約情報が，番組表を参照することで認識され，その後，ＶＴＲ４との通信リンクが確立される。そして，以下，図６で説明したようにして録画予約が行われる。
　また，番組情報が出力されている状態において，録画予約を行うように，ユーザＩ／Ｆ部１４が操作されると，制御部１３において，その出力されている番組情報に対応する番組の録画予約に必要な予約情報が，番組表を参照することで認識され，以下，上述した場合と同様にして録画予約が行われる。（中略）
　また，上述の場合，番組のチャンネルや，開始時刻および終了時刻などを予約情報とするようにしたが，この他，例えば，番組表に，いわゆるＧコードを含ませるようにしておき，予約情報として，このＧコードを用いるようにすることも可能である。」（段落【００５７】ないし段落【００６１】）
　
　同じく原査定の拒絶の理由に引用された特開２０００−１３６９７号公報（平成１２年１月１４日出願公開，以下「引用例２」という。）には，図面とともに，次のとおりの記載がある。
ｄ　「【従来の技術】従来，ビデオテープレコーダ（以下，ＶＴＲという）において，テレビ放送で放送される番組を録画予約する際に，事前に新聞やテレビ番組雑誌等から録画記録する番組を探索確認し，その番組の放送チャンネルや放送日時，あるいは，番組毎に付与されたＧコードをＶＴＲに備えられた録画予約操作キーを用いて入力している。この録画予約は，（中略）ＶＴＲを直視できない遠隔地からの録画予約はできなかった。
　このため，ＶＴＲを電話回線に接続し，電話回線を介して，録画予約される方法も開発実用化されているが，この電話回線を用いた録画予約においても，テレビ番組を印刷した番組表を保有し，所望の番組の放送チャンネルや日時，又はＧコードを入力する必要があり，（中略）録画予約データの入力が煩雑であった。
　又，近年，衛星を用いて１００チャンネルを超える多数のチャンネルで，多数の番組を放送するテレビ局が開局されている。この多チャンネル放送ては，ユーザの利便性の考慮して，テレビ信号に電子プログラムガイド情報（以下，ＥＰＧ情報という）を多重伝送し，その伝送されたＥＰＧ情報を基に，例えば，テレビ画面に番組表を再生表示し，そのテレビ画面に表示された番組表から視聴する番組を探索確認すると共に，その視聴番組のＥＰＧ情報を記憶させ，且つ，現在時刻が視聴番組の開始時刻に到達すると視聴番組が受信再生可能とするテレビ方式も実用化されている。
　一方，地上波によるテレビ放送においても，テレビ信号に多重されて伝送される文字放送信号を用いて前記ＥＰＧ情報を伝送し，そのＥＰＧ情報を基に番組の視聴や録画記録予約を行う規格が，欧州を始めとして制定され，日本においても，１９９３年７月に放送技術開発協議会から「文字放送によるテレビジョン番組録画予約システムの規格」が制定された。
　このようなＥＰＧ情報を用いて放送番組を予約する受信機の構成と動作について，図４を用いて説明する。」（段落【０００２】ないし段落【０００６】）
ｅ　「【発明が解決しようとする課題】
　従来のテレビ番組の予約は，（中略）ユーザがテレビ信号を受信する受信機と対面した状態で番組予約の入力設定を行っており，前記受信機が直視できない遠隔地からの番組予約はできなかった。（中略）
　電話回線を用いる場合にも，番組予約入力するユーザは，予約番組の正確な放送チャンネルと日時，あるいはＧコードを把握する必要があり，番組予約入力が煩雑であり，データ入力に過ちが生じやすい課題があった。
　本発明は，テレビ信号を受信する受信機を直視できない遠隔地からでも放送当日を含む複数日のテレビ番組情報をユーザが認識できると共に，そのテレビ番組表情報から予約番組の選択と前記受信機の番組予約設定を可能とするテレビ番組予約装置及び番組予約機能付き受信機を提供することを目的とする。」（段落【００１６】ないし段落【００１８】）
ｆ　「送信部１９と受信部２０は，後述するテレビ番組予約装置３０との間で，無線又は赤外線を用いて各種データの交信を行うもので，送信部１９は，前記番組表情報メモリ１４に記憶されているテレビ番組表情報をテレビ番組予約装置３０に伝送送信する機能を有し，受信部２０は，テレビ番組予約装置３０から伝送送信される操作モードやデータ信号を受信する機能を有している。（中略）このテレビ番組予約装置３０は，受信機１０のリモートコントロール用の端末器と兼用され，その外観構成を図２に示している。」（段落【００３０】ないし段落【００３２】）
ｇ　「番組予約時の動作は，番組表キー４７が操作されると，ＣＰＵ３９でテレビ番組表情報の伝送指示信号を生成し，スイッチ３３と送信部３２を介して，受信機１０の受信部２０に伝送する。受信機１０の受信部２０で受信したテレビ番組表情報伝送指示信号を基に，受信機１０のＣＰＵ２１は，番組表情報メモリ１４に記憶されているテレビ番組表情報を読み出し，送信部１９を介して，テレビ番組予約装置３０へ送信する。受信機１０から送信されたテレビ番組表情報は，テレビ番組予約装置３０の受信部３１で受信しスイッチ３３を介して番組表情報メモリ３４に記憶すると共に，番組表表示処理手段３６で所定の形式に編集して，ディスプレー３７に番組表を表示する。（中略）
　このディスプレー３７に表示されたカーソル３７’をチャンネルアップ・ダウンキー４３を用いて複数の番組の中から所望の番組を選択する。又，ディスプレー３７に表示されていない日時の番組や異なる放送チャンネルの番組を表示させる際には，スクロールキー４９の上下・左右キーを用いて番組表の表示を換え，所望の番組にカーソルを移動して番組予約キー４８を操作すると，ＣＰＵ３９は，番組予約キー４８が操作されたときのカーソル３７’の位置を検出し，その位置に表示されている番組のテレビ番組表情報を抜き出して，予約番組情報メモリ３５に記憶すると共に，スイッチ３３を介して送信部３２から受信機１０へ予約番組のテレビ番組表情報を送信し，受信機１０の予約番組情報メモリ１６へ記憶させる。（中略）
　この結果，受信機１０のテレビ画面に表示される番組表を用いることなく，手元のテレビ番組予約装置３０に表示される番組表を基に番組予約が可能となる。この受信機１０とテレビ番組予約装置３０の送信部１９，３２と，受信部２０，３１との間の交信をある特定の無線周波数信号を設定することにより，受信機１０が直視できない遠隔地域からでもテレビ番組予約装置３０での番組予約が可能」（段落【００３６】ないし段落【００３９】）
ｈ　「この他の実施形態は，テレビ番組予約装置に，携帯電話機能を有するもので，図１と同一部分は同一符号を付しその詳細説明は省略する。」（段落【００４０】）
ｉ　「電話回線を使用してテレビ番組表情報と予約番組情報を相互に交信するために，受信機１０とテレビ番組予約装置３０がいかなる遠隔地に離れていても，ユーザは，手元のテレビ番組予約装置３０で最新テレビ番組表情報を必要に応じて入手表示し，その場で選択した予約番組の番組表情報は，受信機１０に伝送して番組予約を実行することが可能となる。」（段落【００４３】）
　
３　対比
　本願発明と引用例１に記載された発明（以下「引用発明１」という。）とを対比する。
ア　引用例１の上記記載ａ，ｂ，第１図及び第２図によれば，情報携帯端末等の携帯端末１を操作することによって自宅に設置してある録画予約機能を有するＶＴＲ４を遠隔制御する遠隔制御システムが記載されており，上記携帯端末１は，公衆網，有線回線，無線回線等のネットワークを介して，ＶＴＲ４との通信が可能である。
　また，センタ局のデータベース５には，ＶＴＲ４の録画予約制御に必要な情報として，テレビジョン放送による番組の番組表や，各番組の内容に関する情報（以下，「番組情報」ともいう。）などが記録されており，上記携帯端末１は，基地局２およびネットワーク３を介して上記データベース５にアクセスすることで，上記番組表や番組情報を得る。
　上記ＶＴＲ４は，本願発明にいう「録画・記録装置」に相当し，基地局２およびネットワーク３を介して上記ＶＴＲ４との通信が可能な上記携帯端末１は，本願発明にいう「録画・記録装置との通信機能を搭載した携帯情報端末」に相当する。
　また，ＶＴＲ４の録画予約制御に必要な情報である上記番組表や番組情報は，本願発明にいう「ＥＰＧ情報及び録画予約情報」に相当する情報といえるから，携帯端末１に番組表や番組情報を提供する上記センタ局は，本願発明にいう「携帯情報端末にＥＰＧ情報及び録画予約情報を提供するサービスステーション」に相当する。
　そして，引用発明１は，「デジタル放送における」ものか定かではないものの，「携帯情報端末による録画・記録装置のコントロールシステム」ということができる。
イ　引用例１の上記記載ｂ，ｃ，及び第２図によれば，ユーザは，携帯端末１を操作してセンタ局のデータベース５にアクセスして番組表や番組情報を受信し，携帯端末１に表示された番組表や番組情報を参照して録画予約する番組の番組欄を選択する。選択された番組のチャンネルや，開始時刻および終了時刻などの録画予約に必要な予約情報は，基地局２およびネットワーク３を介してＶＴＲ４に送信される。ＶＲＴ４では，上記選択された番組のチャンネルや，開始時刻および終了時刻などの録画予約に必要な予約情報に基づいて所望する番組の録画予約が行われる。
　上記選択された番組のチャンネルや，開始時刻および終了時刻などの録画予約に必要な予約情報は，本願発明にいう「選択」された「希望の番組の」「録画予約情報」に相当し，引用発明１は，「前記携帯情報端末は前記サービスステーションにアクセスし，ＥＰＧ情報を収得し，収得したＥＰＧ情報から希望の番組を選択し，この番組の録画予約情報を前記録画・記録装置に送信し，前記録画・記録装置は受信した録画予約情報に基づいて，録画予約をセットするように構成した」ものといえる。
　もっとも，携帯情報端末から録画・記録装置への録画予約情報の送信を，本願発明では，「直接」行うのに対し，引用発明１では，ネットワークを介して行っている。 
　
　そうすると，両者は，
「携帯情報端末による録画・記録装置のコントロールシステムであって，
　録画・記録装置と，前記録画・記録装置との通信機能を搭載した携帯情報端末と，前記携帯情報端末にＥＰＧ情報及び録画予約情報を提供するサービスステーションとを有し，
　前記携帯情報端末は前記サービスステーションにアクセスし，ＥＰＧ情報を収得し，収得したＥＰＧ情報から希望の番組を選択し，この番組の録画予約情報を前記録画・記録装置に送信し，前記録画・記録装置は受信した録画予約情報に基づいて，録画予約をセットするように構成したことを特徴とする携帯端末による録画・記録装置のコントロールシステム。」
である点で一致し，以下の各点で相違している。
　
［相違点１］本願発明は，「デジタル放送における」携帯情報端末による録画・記録装置のコントロールシステムであるのに対し，引用発明１は，「デジタル放送における」ものか定かではない点。
［相違点２］携帯情報端末から録画・記録装置への録画予約情報の送信を，本願発明では，「直接」行うのに対し，引用発明１では，ネットワークを介して行う点。
　
４　判断
（１）相違点１について
　引用例２には，衛星を用いて１００チャンネルを超える多数の番組のテレビジョン信号とＥＰＧ情報とを多重伝送する多チャンネル放送を対象として，携帯電話機能を有するテレビ番組予約装置によって遠隔地からＶＴＲの録画予約を行うものが開示されており（上記記載ｄ，ｅ，ｈ及びｉ参照），デジタル放送における携帯情報端末による録画・記録装置のコントロールシステムといえる。
　また，携帯情報端末で録画・記録装置を操作してデジタル放送の録画・記録を行うことは，例えば，原査定において例示された特開２０００−１３７０７号公報（平成１２年１月１４日出願公開。特に，段落１ないし２，段落１４ないし１５，段落１８参照）又は特開平８−５６３４８号公報（平成８年２月２７日出願公開。特に，段落１ないし２，段落２２，段落２７ないし段落２９，段落３１ないし段落３３，段落３８，図６ないし図８参照）にも開示されているように，周知技術である。
　引用発明１の携帯情報端末による録画・記録装置のコントロールシステムを「デジタル放送における」携帯情報端末による録画・記録装置のコントロールシステムとして用いることは，上記引用例２又は周知技術を参照して，当業者が容易になし得ることである。また，これによる効果も上記各引用例の記載及び周知技術から当業者が予測できる範囲のものである。
（２）相違点２について
　携帯情報端末と録画・記録装置の遠隔操作装置であって操作信号を直接送信するものとを一体化することは周知（例えば，特開平１１−２８４７５７号公報（平成１１年１０月１５日出願公開。特に，段落２，段落４，段落１３参照。段落１３には，操作者が被制御機器の近傍にいる時には携帯電話機に内蔵されたリモコン制御装置の操作部を操作することによって，携帯電話機の発呼操作を要することなく遠隔操作ができることも記載されている。）又は特開平１１−２８５０７１号公報（平成１１年１０月１５日出願公開。特に，段落２７及び図３参照））であり，
　録画・記録装置の遠隔操作装置側でＥＰＧ情報を収得して番組選択を行い，録画・記録装置に録画予約情報を「直接」送信することも，例えば，上記引用例２，原査定において例示された特開２０００−１３７０７号公報（再掲。特に，段落１４ないし１５，段落１８参照），特開平１１−４１５６６号公報（平成１１年２月１２日出願公開。特に，段落５９ないし段落６２，段落７９ないし段落９０，段落１１８参照）にも開示されているように，周知技術であり， 
　かつ，上記引用例２には，手元のテレビ番組予約装置３０でテレビ番組表情報を収得し，テレビ番組予約装置３０に表示される番組表から希望の番組を選択し，選択した予約番組のテレビ番組情報を受信機１０に送信するものであって，無線又は赤外線を用いて上記受信機１０に直接送信することによって受信機が直視できない遠隔地から番組予約を行うもの，及び，電話回線を介して送信することによっていかなる遠隔地に離れていても番組予約を行えるものが開示されているから（上記記載ｅないしｉ参照），遠隔地から番組予約を行う場合であっても，無線又は赤外線等の通信手段が機能する範囲内での使用が想定される場合には，録画予約情報を録画・記録装置に「直接」送信する構成を採り得ることの示唆があるといえる。
　引用発明１の携帯情報端末１は，ＥＰＧ情報を収得して番組選択を行い，録画予約情報を録画・記録装置に送信するものであって，録画・記録装置の遠隔操作装置を兼ねたものといい得るところ，上記周知技術及び引用例２の示唆を考慮すれば，引用発明１において，上記送信を，ネットワークを介して行う代わりに「直接」行うようにすることは，録画・記録装置の遠隔操作装置としての使用が想定される範囲等を勘案しつつ，当業者が適宜なし得ることというべきである。また，これによる効果も上記各引用例の記載及び周知技術から当業者が予測できる範囲のものである。 
　
　以上判断したとおり，本願発明における上記相違点１及び２に係る構成はいずれも当業者が容易に想到し得たものであり，また，各相違点を総合しても本願発明は当業者が想到することが困難なものとはいえない。
　そして，本願発明の作用効果も，上記各引用例及び周知技術から当業者が予測できる範囲のものである。
　
　したがって，本願発明は，上記各引用例に記載された発明及び周知技術に基づいて当業者が容易に発明をすることができたものである。
　
５　むすび
　以上のとおり，本願の請求項１に係る発明は，上記各引用例に記載された発明及び周知技術に基づいて，当業者が容易に発明をすることができたものであるから，特許法第２９条第２項の規定により特許を受けることができない。
　
　したがって，本願の他の請求項について検討するまでもなく，本願は拒絶されるべきものである。
　よって，結論のとおり審決する。